(57)【特許請求の範囲】
【請求項１】
画素駆動回路であって、
駆動トランジスタ、第１スイッチ、第２スイッチ、第３スイッチ、第４スイッチ、第５スイッチ、第１コンデンサ、第２コンデンサ、充電電圧部、初期電圧信号端子、データ電圧信号端子、および駆動電圧信号端子を含み、前記駆動トランジスタにゲート端子、ソース端子、およびドレイン端子が設けられ；
前記ソース端子は、前記第１スイッチおよび前記第２スイッチによってそれぞれ前記駆動電圧信号端子および前記充電電圧部に接続され、前記充電電圧部は、前記データ電圧信号端子からのデータ電圧が前記第３スイッチによって、また前記駆動電圧信号端子からの駆動電圧が前記第１スイッチおよび前記第２スイッチによって入力される端子として、前記第３スイッチによって前記データ電圧信号端子に接続され；前記ゲート端子は、前記第４スイッチによって前記初期電圧信号端子に接続され、前記ゲート端子と前記ドレイン端子は、前記第５スイッチによって接続され；
前記第１コンデンサは、前記ゲート端子および前記充電電圧部に接続され、前記第２コンデンサは、前記ゲート端子および接地端子に接続される、画素駆動回路。
【請求項２】
請求項１に記載の画素駆動回路において、第１制御信号端子および第２制御信号端子をさらに含み、前記第１制御信号端子および前記第２制御信号端子は、それぞれ前記第１スイッチの制御端子および前記第２スイッチの制御端子に接続されて、前記第１スイッチおよび前記第２スイッチのオン・オフを制御する、画素駆動回路。
【請求項３】
請求項２に記載の画素駆動回路において、第３制御信号端子および第４制御信号端子をさらに含み、前記第３制御信号端子および前記第４制御信号端子は、それぞれ前記第３スイッチの制御端子および前記第４スイッチの制御端子に接続されて、前記第３スイッチおよび前記第４スイッチのオン・オフを制御する、画素駆動回路。
【請求項４】
請求項３に記載の画素駆動回路において、第５制御信号端子をさらに含み、前記第５制御信号端子は、前記第５スイッチの制御端子に接続されて、前記第５スイッチのオン・オフを制御する、画素駆動回路。
【請求項５】
請求項４に記載の画素駆動回路において、第６スイッチ、発光ダイオード、および負極電圧信号端子をさらに含み、前記第１制御信号端子は、前記第６スイッチの制御端子に接続されて、前記第６スイッチのオン・オフを制御し、前記発光ダイオードは、正極端子および負極端子を有し、前記第６スイッチは、前記ドレイン端子と前記正極端子との間に接続されて、前記駆動トランジスタと前記発光ダイオードのオン・オフを制御し、前記負極端子は、前記負極電圧信号端子に接続される、画素駆動回路。
【請求項６】
表示パネルであって、
画素駆動回路を含み、前記画素駆動回路は、駆動トランジスタ、第１スイッチ、第２スイッチ、第３スイッチ、第４スイッチ、第５スイッチ、第１コンデンサ、第２コンデンサ、充電電圧部、初期電圧信号端子、データ電圧信号端子、および駆動電圧信号端子を含み；前記駆動トランジスタにゲート端子、ソース端子、およびドレイン端子が設けられ；
前記ソース端子は、前記第１スイッチおよび前記第２スイッチによってそれぞれ前記駆動電圧信号端子および前記充電電圧部に接続され、前記充電電圧部は、前記データ電圧信号端子からのデータ電圧が前記第３スイッチによって、また前記駆動電圧信号端子からの駆動電圧が前記第１スイッチおよび前記第２スイッチによって入力される端子として、前記第３スイッチによって前記データ電圧信号端子に接続され；前記ゲート端子は、前記第４スイッチによって前記初期電圧信号端子に接続され、前記ゲート端子と前記ドレイン端子は、前記第５スイッチによって接続され；
前記第１コンデンサは、前記ゲート端子および前記充電電圧部に接続され、前記第２コンデンサは、前記ゲート端子および接地端子に接続される、表示パネル。
【請求項７】
請求項６に記載の表示パネルにおいて、第１制御信号端子および第２制御信号端子をさらに含み、前記第１制御信号端子および前記第２制御信号端子は、それぞれ前記第１スイッチの制御端子および前記第２スイッチの制御端子に接続されて、前記第１スイッチおよび前記第２スイッチのオン・オフを制御する、表示パネル。
【請求項８】
請求項７に記載の表示パネルにおいて、第３制御信号端子および第４制御信号端子をさらに含み、前記第３制御信号端子および前記第４制御信号端子は、それぞれ前記第３スイッチの制御端子および前記第４スイッチの制御端子に接続されて、前記第３スイッチおよび前記第４スイッチのオン・オフを制御する、表示パネル。
【請求項９】
請求項８に記載の表示パネルにおいて、第５制御信号端子をさらに含み、前記第５制御信号端子は、前記第５スイッチの制御端子に接続されて、前記第５スイッチのオン・オフを制御する、表示パネル。
【請求項１０】
請求項９に記載の表示パネルにおいて、第６スイッチ、発光ダイオード、および負極電圧信号端子をさらに含み、前記第１制御信号端子は、前記第６スイッチの制御端子に接続されて、前記第６スイッチのオン・オフを制御し、前記発光ダイオードは、正極端子および負極端子を有し、前記第６スイッチは、前記ドレイン端子と前記正極端子との間に接続されて、前記駆動トランジスタと前記発光ダイオードのオン・オフを制御し、前記負極端子は、前記負極電圧信号端子に接続される、表示パネル。
【請求項１１】
画素駆動方法であって、
ゲート端子、ソース端子、およびドレイン端子が設けられる駆動トランジスタ、前記ゲート端子および充電電圧部に接続される第１コンデンサ、前記ゲート端子および接地端子に接続される第２コンデンサ、およびデータ電圧信号端子からのデータ電圧（Ｖｄａｔａ）が第３スイッチによって、また駆動電圧信号端子からの駆動電圧（Ｖｄｄ）が第１スイッチおよび第２スイッチによって入力される端子としての前記充電電圧部を含む画素駆動回路を提供すること、
前記ゲート端子に初期電圧を入力し、かつ前記充電電圧部に前記データ電圧を入力して、前記充電電圧部の電位および前記ゲート端子の電位をリセットさせるリセット段階、
前記ソース端子の電位と前記ゲート端子の電位との差がＶｔｈ（前記駆動トランジスタの閾値電圧である）になるまで、前記ゲート端子に前記データ電圧を入力し、かつ前記Ｖｔｈを前記第１コンデンサ内に保持し、前記ゲート端子の電位を前記第２コンデンサ内に保持するように、前記充電電圧部に前記データ電圧を入力し、前記充電電圧部および前記ソース端子をオンにし、かつ前記ゲート端子および前記ドレイン端子をオンにする保持段階、および
前記ソース端子および前記充電電圧部に前記駆動電圧を入力して、前記ゲート端子の電位を変更し、前記駆動トランジスタの駆動電流を安定させる発光段階を含む、画素駆動方法。
【請求項１２】
請求項１１に記載の画素駆動方法において、提供する前記画素駆動回路は、第１スイッチ、第２スイッチ、第３スイッチ、第４スイッチ、第５スイッチ、第６スイッチ、発光ダイオード、第１制御信号端子、第２制御信号端子、第３制御信号端子、第４制御信号端子、第５制御信号端子、初期電圧信号端子、データ電圧信号端子、および駆動電圧信号端子をさらに含み、前記ソース端子は、前記第１スイッチおよび前記第２スイッチによってそれぞれ前記駆動電圧信号端子および前記充電電圧部に接続され、前記充電電圧部は、前記第３スイッチによって前記データ電圧信号端子に接続され；前記ゲート端子は、前記第４スイッチによって前記初期電圧信号端子に接続され、前記ゲート端子と前記ドレイン端子は、前記第５スイッチによって接続され；前記第６スイッチは、前記ドレイン端子および前記発光ダイオードに接続され；前記第１制御信号端子は、前記第１スイッチの制御端子および前記第６スイッチの制御端子に接続され、前記第２制御信号端子は、前記第２スイッチの制御端子に接続され、前記第３制御信号端子および前記第４制御信号端子は、それぞれ前記第３スイッチの制御端子および前記第４スイッチの制御端子に接続され；前記第５制御信号端子は、前記第５スイッチの制御端子に接続され；
前記リセット段階において、前記第３制御信号端子および前記第４制御信号端子にローレベル信号を入力し、かつ前記第１制御信号端子、前記第２制御信号端子、および前記第５制御信号端子にハイレベル信号を入力するように設けられ、前記第３スイッチおよび前記第４スイッチをオンにし、かつ前記第１スイッチ、前記第２スイッチ、前記第５スイッチ、および前記第６スイッチをオフにし、前記第３スイッチによって前記充電電圧部に前記データ電圧を入力し、前記第４スイッチによって前記ゲート端子に前記初期電圧を入力する、画素駆動方法。
【請求項１３】
請求項１２に記載の画素駆動方法において、前記保持段階において、前記第２制御信号端子、前記第３制御信号端子、および前記第５制御信号端子にローレベル信号を入力し、かつ前記第４制御信号端子および前記第１制御信号端子にハイレベル信号を入力するように設けられ、前記第２スイッチ、前記第３スイッチ、および前記第５スイッチをオンにし、かつ前記第１スイッチ、前記第４スイッチ、および前記第６スイッチをオフにし、前記第２スイッチおよび前記第３スイッチによって前記ソース端子に前記データ電圧を入力し、前記ゲート端子の電位がＶｄａｔａ−Ｖｔｈになるまで、前記第３スイッチ、前記第２スイッチ、前記駆動トランジスタおよび前記第５スイッチによって前記ゲート端子に前記データ電圧を入力する、画素駆動方法。
【請求項１４】
請求項１３に記載の画素駆動方法において、提供する前記画素駆動回路は、負極電圧信号端子をさらに含み、前記発光ダイオードは、正極端子および負極端子を有し、前記第６スイッチは、前記ドレイン端子と前記正極端子との間に接続され、前記負極端子は、前記負極電圧信号端子に接続され；
前記発光段階において、前記第３制御信号端子、前記第５制御信号端子、および前記第４制御信号端子にハイレベル信号を入力し、かつ前記第１制御信号端子および前記第２制御信号端子にローレベル信号を入力するように設けられ、前記第３スイッチ、前記第１スイッチ、および前記第６スイッチをオンにし、前記第２スイッチ、前記第５スイッチ、および前記第４スイッチをオフにし；前記第１スイッチによって前記ソース端子に前記駆動電圧を入力し、前記第１スイッチ、前記第３スイッチによって前記充電電圧部に前記駆動電圧を充電し、前記ゲート端子の電位をＶｄａｔａ−Ｖｔｈ＋δＶとし、前記ソース端子の電位と前記ゲート端子の電位との差をＶｄｄ−Ｖｄａｔａ＋Ｖｔｈ−δＶとし、前記δＶ＝（Ｖｄｄ−Ｖｄａｔａ）×Ｃ１／（Ｃ１＋Ｃ２）であり、前記Ｃ１は前記第１コンデンサの容量値であり、前記Ｃ２は前記第２コンデンサの容量値であり、前記駆動電流が前記閾値電圧と無関係になるようにし；前記駆動電流で前記発光ダイオードの発光が駆動されるように、前記駆動電圧信号端子と前記負極電圧信号端子がオンになり、前記第１スイッチ、前記駆動トランジスタ、および前記第６スイッチをオンにする、画素駆動方法。
【発明の詳細な説明】
【技術分野】
【０００１】
本出願について、２０１７年０４月２８日付け、出願番号が２０１７１０２９７６５４．９、出願の名称が「表示パネル、画素駆動回路、およびその駆動方法」の中国特許で出願された優先権を中国特許庁に提出しており、上記の先行出願された内容は引用して本明細書に組み込まれる。
【０００２】
本出願は、表示技術分野に関し、具体的には、画素駆動回路、およびその画素駆動回路の駆動方法、ならびにその画素駆動回路を含む表示パネルに関する。
【背景技術】
【０００３】
発光ダイオード（Ｏｒｇａｎｉｃ  Ｌｉｇｈｔ  Ｅｍｉｔｔｉｎｇ  Ｄｉｏｄｅ、ＯＬＥＤ）表示パネルの製造過程での不安定性と技術的制限などの理由から、ＯＬＥＤ表示パネル内の各々の画素ユニットの駆動トランジスタの閾値電圧に差があり、そのため、各々の画素ユニットにおける発光ダイオードの電流が不一致となり、これにより、ＯＬＥＤ表示パネルの輝度ムラを生じる。
【０００４】
なお、駆動トランジスタの駆動時間の推移に伴い、駆動トランジスタ材料が老化し、かつ変異してしまうため、駆動トランジスタの閾値電圧がドリフトしてしまうなどの問題を招く。さらに、駆動トランジスタ材料の老化程度が異なり、そのため、ＯＬＥＤ表示パネル内の各々の駆動トランジスタの閾値電圧のドリフト量が異なり、ＯＬＥＤ表示パネルの表示ムラ現象も引き起こし、それと共に、このような表示ムラ現象は、駆動時間の推移と駆動トランジスタ材料の老化に伴ってより深刻になる。
【発明の概要】
【課題を解決するための手段】
【０００５】
上記の問題について、本出願は、表示パネルの輝度均一性を向上させる画素駆動回路、およびその駆動方法、ならびにその画素駆動回路を含む表示パネルを提供することを目的とする。
【０００６】
背景技術に存在する問題を解決するために、本出願は、画素駆動回路であって、駆動トランジスタ、第１スイッチ、第２スイッチ、第３スイッチ、第４スイッチ、第５スイッチ、第１コンデンサ、第２コンデンサ、充電電圧部、初期電圧信号端子、データ電圧信号端子、および駆動電圧信号端子を含み、前記駆動トランジスタにゲート端子、ソース端子、およびドレイン端子が設けられ；
前記ソース端子は、前記第１スイッチおよび前記第２スイッチによってそれぞれ前記駆動電圧信号端子および前記充電電圧部に接続され、前記充電電圧部は、前記第３スイッチによって前記データ電圧信号端子に接続され；前記ゲート端子は、前記第４スイッチによって前記初期電圧信号端子に接続され、前記ゲート端子と前記ドレイン端子は前記第５スイッチによって接続され；
前記第１コンデンサは、前記ゲート端子および前記充電電圧部に接続され、前記第２コンデンサは、前記ゲート端子および接地端子に接続される画素駆動回路を提供する。
【０００７】
前記画素駆動回路は、第１制御信号端子および第２制御信号端子をさらに含み、前記第１制御信号端子および前記第２制御信号端子は、それぞれ前記第１スイッチの制御端子および前記第２スイッチの制御端子に接続されて、前記第１スイッチおよび前記第２スイッチのオン・オフを制御する。
【０００８】
前記画素駆動回路は、第３制御信号端子および第４制御信号端子をさらに含み、前記第３制御信号端子および前記第４制御信号端子は、それぞれ前記第３スイッチの制御端子および前記第４スイッチの制御端子に接続されて、前記第３スイッチおよび前記第４スイッチのオン・オフを制御する。
【０００９】
前記画素駆動回路は、第５制御信号端子をさらに含み、前記第５制御信号端子は、前記第５スイッチの制御端子に接続されて、前記第５スイッチのオン・オフを制御する。
【００１０】
前記画素駆動回路は、第６スイッチ、発光ダイオード、および負極電圧信号端子をさらに含み、前記第１制御信号端子は、前記第６スイッチの制御端子に接続されて、前記第６スイッチのオン・オフを制御し、前記発光ダイオードは、正極端子および負極端子を有し、前記第６スイッチは、前記ドレイン端子と前記正極端子との間に接続されて、前記駆動トランジスタと前記発光ダイオードのオン・オフを制御し、前記負極端子は、前記負極電圧信号端子に接続される。
【００１１】
本出願の実施例は、上記のいずれか１つの実施形態に記載の画素駆動回路を含む表示パネルを提供する。
【００１２】
本出願の実施例は、画素駆動方法であって、
ゲート端子、ソース端子、およびドレイン端子が設けられる駆動トランジスタ、前記ゲート端子および前記充電電圧部に接続される第１コンデンサ、前記ゲート端子および接地端子に接続される第２コンデンサ、および充電電圧部を含む画素駆動回路を提供すること、
前記ゲート端子に初期電圧を入力し、かつ前記充電電圧部にデータ電圧を入力して、前記充電電圧部の電位および前記ゲート端子の電位をリセットさせるリセット段階、
前記ソース端子の電位と前記ゲート端子の電位との差がＶｔｈ（前記駆動トランジスタの閾値電圧である）になるまで、前記ゲート端子に前記データ電圧を充電し、かつ前記Ｖｔｈを前記第１コンデンサ内に保持し、前記ゲート端子の電位を前記第２コンデンサ内に保持するように、前記充電電圧部に前記データ電圧を入力し、前記充電電圧部および前記ソース端子をオンにし、かつ前記ゲート端子および前記ドレイン端子をオンにする保持段階、および
前記ソース端子および前記充電電圧部に駆動電圧を入力して、前記ゲート端子の電位を変更し、前記駆動トランジスタの駆動電流を安定させる発光段階を含む画素駆動方法を提供する。
【００１３】
提供する前記画素駆動回路は、第１スイッチ、第２スイッチ、第３スイッチ、第４スイッチ、第５スイッチ、第６スイッチ、発光ダイオード、第１制御信号端子、第２制御信号端子、第３制御信号端子、第４制御信号端子、第５制御信号端子、初期電圧信号端子、データ電圧信号端子、および駆動電圧信号端子をさらに含み；前記ソース端子は、前記第１スイッチおよび前記第２スイッチによってそれぞれ前記駆動電圧信号端子および前記充電電圧部に接続され、前記充電電圧部は、前記第３スイッチによって前記データ電圧信号端子に接続され；前記ゲート端子は、前記第４スイッチによって前記初期電圧信号端子に接続され、前記ゲート端子と前記ドレイン端子は、前記第５スイッチによって接続され；前記第６スイッチは、前記ドレイン端子および前記発光ダイオードに接続され；前記第１制御信号端子は、前記第１スイッチの制御端子および前記第６スイッチの制御端子に接続され、前記第２制御信号端子は、前記第２スイッチの制御端子に接続され、前記第３制御信号端子および前記第４制御信号端子は、それぞれ前記第３スイッチの制御端子および前記第４スイッチの制御端子に接続され；前記第５制御信号端子は前記第５スイッチの制御端子に接続され；
前記リセット段階において、前記第３制御信号端子および前記第４制御信号端子にローレベル信号を入力し、かつ前記第１制御信号端子、前記第２制御信号端子、および前記第５制御信号端子にハイレベル信号を入力するように設けられ、前記第３スイッチおよび前記第４スイッチをオンにし、かつ前記第１スイッチ、前記第２スイッチ、前記第５スイッチ、および前記第６スイッチをオフにし、前記第３スイッチによって前記充電電圧部に前記データ電圧（Ｖｄａｔａ）を入力し、前記第４スイッチによって前記ゲート端子に前記初期電圧を入力する。
【００１４】
前記保持段階において、前記第２制御信号端子、前記第３制御信号端子、および前記第５制御信号端子にローレベル信号を入力し、かつ前記第４制御信号端子および前記第１制御信号端子にハイレベル信号を入力するように設けられ、前記第２スイッチ、前記第３スイッチ、および前記第５スイッチをオンにし、かつ前記第１スイッチ、前記第４スイッチ、および前記第６スイッチをオフにし、前記第２スイッチおよび前記第３スイッチによって前記ソース端子に前記データ電圧を入力し、前記ゲート端子の電位がＶｄａｔａ−Ｖｔｈになるまで、前記第３スイッチ、前記第２スイッチ、前記駆動トランジスタおよび前記第５スイッチによって前記ゲート端子に前記データ電圧を充電する。
【００１５】
提供する前記画素駆動回路は、負極電圧信号端子をさらに含み、前記発光ダイオードは、正極端子および負極端子を有し、前記第６スイッチは、前記ドレイン端子と前記正極端子との間に接続され、前記負極端子は前記負極電圧信号端子に接続され；
前記発光段階において、前記第３制御信号端子、前記第５制御信号端子、および前記第４制御信号端子にハイレベル信号を入力し、かつ前記第１制御信号端子および前記第２制御信号端子にローレベル信号を入力するように設けられ、前記第３スイッチ、前記第１スイッチ、および前記第６スイッチをオンにし、かつ前記第２スイッチ、前記第５スイッチ、および前記第４スイッチをオフにし；前記第１スイッチによって前記ソース端子に前記駆動電圧（Ｖｄｄ）を入力し、前記第１スイッチ、前記第３スイッチによって前記充電電圧部に前記駆動電圧を充電し、前記ゲート端子の電位をＶｄａｔａ−Ｖｔｈ＋δＶとし、前記ソース端子の電位と前記ゲート端子の電位との差をＶｄｄ−Ｖｄａｔａ＋Ｖｔｈ−δＶとし、前記δＶ＝（Ｖｄｄ−Ｖｄａｔａ）×Ｃ１／（Ｃ１＋Ｃ２）であり、前記Ｃ１は前記第１コンデンサの容量値であり、前記Ｃ２は前記第２コンデンサの容量値であり、前記駆動電流が前記閾値電圧と無関係になるようにし；前記駆動電流で前記発光ダイオードの発光が駆動されるように、前記第１スイッチ、前記駆動トランジスタ、および前記第６スイッチがオンになり、前記駆動電圧信号端子と前記負極電圧信号端子をオンにする。
【００１６】
本出願が提供する画素駆動回路は、駆動トランジスタを含み、前記駆動トランジスタにゲート端子、ソース端子、およびドレイン端子が設けられ、前記ソース端子は、前記第１スイッチおよび前記第２スイッチによってそれぞれ前記駆動電圧信号端子および前記充電電圧部に接続され、前記充電電圧部は、前記第３スイッチによって前記データ電圧信号端子に接続され、前記ゲート端子は、前記第４スイッチによって前記初期電圧信号端子に接続され、前記ゲート端子と前記ドレイン端子は、前記第５スイッチによって接続され；前記第１コンデンサは、前記ゲート端子および前記充電電圧部に接続され、前記第２コンデンサは、前記ゲート端子および接地端子に接続される。
【００１７】
ソース端子とゲート端子との電位差が駆動トランジスタの閾値電圧Ｖｔｈになるまで、前記データ電圧信号端子によってゲート端子を充電し、さらに、ソース端子とゲート端子との電位差がＶｄｄ−Ｖｄａｔａ＋Ｖｔｈ−δＶになるまで、駆動電圧信号端子によって前記充電電圧部を充電し、駆動電流Ｉ＝ｋ（Ｖｄｄ−Ｖｄａｔａ−δＶ）２とし、駆動電流は前記閾値電圧Ｖｔｈと無関係であり、これにより、発光ダイオードを流れる電流を安定させ、前記発光ダイオードの発光輝度均一性を保証する。
【００１８】
本出願が提供する画素駆動方法は、リセット段階を設けることによって、充電電圧部およびゲート端子をリセットさせ、保持段階において、ソース端子とゲート端子との電位差が駆動トランジスタの閾値電圧Ｖｔｈになるまで、前記データ電圧信号端子によってゲート端子を充電し、さらに、ソース端子とゲート端子との電位差がＶｄｄ−Ｖｄａｔａ＋Ｖｔｈ−δＶになるまで、駆動電圧信号端子によって前記充電電圧部を充電し、駆動電流Ｉ＝ｋ（Ｖｄｄ−Ｖｄａｔａ−δＶ）２とし、駆動電流は前記閾値電圧Ｖｔｈと無関係であり、これにより、発光ダイオードを流れる電流を安定させ、前記発光ダイオードの発光輝度均一性を保証する。
【００１９】
本出願が提供する表示パネルは、上記画素駆動回路を含み、前記駆動トランジスタに生じる駆動電流が前記駆動トランジスタの閾値電圧と無関係になるようにし、これにより、前記駆動トランジスタに生じる駆動電流を安定させ、画素ユニットにおける駆動トランジスタの老化あるいは製造工程制限による閾値電圧ドリフトの問題を解消することによって、発光ダイオードを流れる電流を安定させ、前記発光ダイオードの発光輝度均一性を保証し、画面の表示効果を改善することができる。
【図面の簡単な説明】
【００２０】
本出願の実施例における技術的解決手段をより明確に説明するため、以下は実施例において使用される図面を簡潔に説明する。明らかに、下記の図面は単に本出願の幾つかの実施例であるとともに、当業者は創造的労力なしに、これらの図面に基づいて他の図面を得ることができる。
【図１】図１は、本出願の第１実施例が提供する画素駆動回路の構造模式図である。
【図２】図２は、本出願の第２実施例が提供する画素駆動回路の構造模式図である。
【図３】図３は、本出願の実施例が提供する表示パネルの構造模式図である。
【図４】図４は、本出願の実施例が提供する画素駆動回路のタイミングチャートである。
【図５】図５は、本出願の実施例が提供する画素駆動方法のフローチャート図である。
【図６】図６は、本出願の実施例が提供する画素駆動回路のリセット段階の状態図である。
【図７】図７は、本出願の実施例が提供する画素駆動回路の保持段階の状態図である。
【図８】図８は、本出願の実施例が提供する画素駆動回路の発光段階の状態図である。
【発明を実施するための形態】
【００２１】
以下では、本出願の実施例における図面と併せて、本出願の実施例の技術的解決手段を明確にかつ十分に説明する。
【００２２】
図１を参照すれば、図１は本出願の第１実施例が提供する画素駆動回路であって、駆動トランジスタＴ０、第１スイッチＴ１、第２スイッチＴ２、第３スイッチＴ３、第４スイッチＴ４、第５スイッチＴ５、第１コンデンサＣ１１、第２コンデンサＣ１２、充電電圧部ｎ、初期電圧信号端子ＶＩＮＩ、データ電圧信号端子ＶＤＡＴＡ、および駆動電圧信号端子ＯＶＤＤを含む。前記駆動トランジスタＴ０にゲート端子ｇ、ソース端子ｓ、およびドレイン端子ｄが設けられる。
【００２３】
前記ソース端子ｓは、前記第１スイッチＴ１および前記第２スイッチＴ２によってそれぞれ前記駆動電圧信号端子ＯＶＤＤおよび前記充電電圧部ｎに接続され、前記充電電圧部ｎは、前記第３スイッチＴ３によって前記データ電圧信号端子ＶＤＡＴＡに接続されて、前記ソース端子ｓに駆動電圧Ｖｄｄまたはデータ電圧Ｖｄａｔａを入力する。前記ゲート端子ｇは、前記第４スイッチＴ４によって前記初期電圧信号端子ＶＩＮＩに接続されて、前記ゲート端子ｇに初期電圧Ｖｉｎｉを入力し、前記ゲート端子ｇと前記ドレイン端子ｄは、前記第５スイッチＴ５によって接続される。前記第１コンデンサＣ１１は、前記ゲート端子ｇおよび前記充電電圧部ｎに接続されて、前記ゲート端子ｇと前記充電電圧部ｎとの間の電位差を保持する。前記第２コンデンサＣ１２は、前記ゲート端子ｇおよび接地端子ＧＮＤに接続されて、前記ゲート端子ｇの電位を保持する。本実施例に記載のスイッチは、スイッチ回路、薄膜トランジスタなど回路のオン・オフを制御する機能を有するモジュールを含むが、それらに制限されない。
【００２４】
本実施例が提供する画素駆動回路は、駆動方法によって、リセット段階において、前記第３スイッチＴ３と前記第４スイッチＴ４がオンになり、かつ前記第１スイッチＴ１、前記第２スイッチＴ２、前記第５スイッチＴ５、および前記第６スイッチＴ６がオフになり、前記充電電圧部ｎに前記データ電圧Ｖｄａｔａを入力し、前記ゲート端子ｇに前記初期電圧Ｖｉｎｉを入力し；前記保持段階において、前記第２スイッチＴ２、前記第３スイッチＴ３、および前記第５スイッチＴ５がオンになり、かつ前記第１スイッチＴ１、前記第４スイッチＴ４、および前記第６スイッチＴ６がオフになり、前記ソース端子ｓに前記データ電圧Ｖｄａｔａを入力し、前記ゲート端子ｇに前記データ電圧Ｖｄａｔａを充電し；前記発光段階において、前記第３スイッチＴ３、前記第１スイッチＴ１、および前記第６スイッチＴ６がオンになり、かつ前記第２スイッチＴ２、前記第５スイッチＴ５、および前記第４スイッチＴ４がオフになるように制御し、前記駆動トランジスタＴ０に生じる駆動電流Ｉが前記駆動トランジスタＴ０の閾値電圧Ｖｔｈと無関係になるようにし、これにより、前記駆動トランジスタＴ０に生じる駆動電流Ｉを安定させる。
【００２５】
一実施形態において、前記画素駆動回路は、第１制御信号端子Ｓｃａｎ１および第２制御信号端子Ｓｃａｎ２をさらに含み、前記第１制御信号端子Ｓｃａｎ１および前記第２制御信号端子Ｓｃａｎ２は、それぞれ前記第１スイッチＴ１の制御端子および前記第２スイッチＴ２の制御端子に接続されて、前記第１スイッチＴ１および前記第２スイッチＴ２のオン・オフを制御する。
【００２６】
一実施形態において、前記画素駆動回路は、第３制御信号端子Ｓｃａｎ３および第４制御信号端子Ｓｃａｎ４をさらに含み、前記第３制御信号端子Ｓｃａｎ３および前記第４制御信号端子Ｓｃａｎ４は、それぞれ前記第３スイッチＴ３の制御端子および前記第４スイッチＴ４の制御端子に接続されて、前記第３スイッチＴ３および前記第４スイッチＴ４のオン・オフを制御する。
【００２７】
一実施形態において、前記画素駆動回路は、第５制御信号端子Ｓｃａｎ５をさらに含み、前記第５制御信号端子Ｓｃａｎ５は、前記第５スイッチＴ５の制御端子に接続されて、前記第５スイッチＴ５のオン・オフを制御する。
【００２８】
図２を参照すれば、図２は本出願の第２実施例が提供する画素駆動回路であって、第１実施例が提供する画素駆動回路を含み、前記駆動トランジスタＴ０に生じる駆動電流Ｉを安定させる。本実施例は、第６スイッチＴ６、発光ダイオードＬ、および負極電圧信号端子ＯＶＳＳをさらに含み、前記第１制御信号端子Ｓｃａｎ１は、前記第６スイッチＴ６の制御端子に接続されて、前記第６スイッチＴ６のオン・オフを制御し、前記発光ダイオードＬは、正極端子および負極端子を有し、前記第６スイッチＴ６は、前記ドレイン端子ｄと前記正極端子の間に接続されて、前記駆動トランジスタＴ０と前記発光ダイオードＬのオン・オフを制御し、前記負極端子は、前記負極電圧信号端子ＯＶＳＳに接続される。前記第１スイッチＴ１、前記駆動トランジスタＴ０、および前記第６スイッチＴ６がオンになる際、前記駆動電圧信号端子ＯＶＤＤと前記負極電圧信号端子ＯＶＳＳがオンになり、前記駆動トランジスタＴ０に生じる駆動電流Ｉで前記発光ダイオードＬの発光が駆動される。本実施例において、前記駆動電流Ｉは前記駆動トランジスタＴ０の閾値電圧Ｖｔｈと無関係であり、画素ユニットにおける駆動トランジスタＴ０の老化あるいは製造工程制限による閾値電圧Ｖｔｈドリフトの問題を解消することによって、発光ダイオードＬを流れる電流を安定させ、前記発光ダイオードＬの発光輝度均一性を保証し、画面の表示効果を改善する。
【００２９】
一実施形態において、前記第１スイッチＴ１、前記駆動トランジスタＴ０、前記第２スイッチＴ２、前記第４スイッチＴ４、前記第５スイッチＴ５、および前記第６スイッチＴ６はいずれもＰ型薄膜トランジスタであり、上記スイッチの制御端子にローレベル電圧を加える際、スイッチはオン状態になり、上記スイッチの制御端子にハイレベル電圧を加える際、スイッチはオフ状態になる。他の実施形態において、前記第１スイッチＴ１、前記駆動トランジスタＴ０、前記第２スイッチＴ２、前記第３スイッチＴ３、前記第４スイッチＴ４、前記第５スイッチＴ５、および前記第６スイッチＴ６は他のＰ型および／またはＮ型薄膜トランジスタの組み合わせであって良く、本出願は制限されない。
【００３０】
本出願の実施例において、画素駆動回路が表示パネルまたは表示装置に応用される際、前記制御信号端子は表示パネルまたは表示装置における走査信号線に接続可能である。
【００３１】
図３を参照すれば、本出願の実施例は、上記のいずれか１つの実施例が提供する画素駆動回路を含み、初期電圧信号線Ｖ１、データ電圧信号線Ｖ２、駆動電圧信号線Ｖ３および負極電圧信号線Ｖ４をさらに含む表示パネル１００をさらに提供する。前記初期電圧信号端子ＶＩＮＩは、前記初期電圧信号線Ｖ１に接続されて、初期電圧Ｖｉｎｉを入力する。前記データ電圧信号端子ＶＤＡＴＡは、前記データ電圧信号線Ｖ２に接続されて、データ電圧Ｖｄａｔａを入力する。前記駆動電圧信号端子ＯＶＤＤは、前記駆動電圧信号線Ｖ３に接続されて、駆動電圧Ｖｄｄを入力する。前記負極電圧信号端子ＯＶＳＳは、前記負極電圧信号線Ｖ４に接続されて、負極電圧Ｖｓｓを入力する。具体的には、前記表示パネルは、複数の画素アレイを含んでも良く、各々の画素は上記の本例示実施形態のいずれの画素駆動回路に対応する。前記画素駆動回路は、閾値電圧の駆動電流Ｉに対する影響を解消して、発光ダイオードＬの表示を安定させ、表示パネルの表示輝度の均一性を改善するため、表示品質を最大限に高めることができる。
【００３２】
図４〜図８を合わせて参照すれば、図４は本出願の実施例が提供する画素駆動回路のタイミングチャートである。図５は、上記実施例に記載の画素駆動回路を駆動するための、本出願の実施例が提供する画素駆動方法Ｓ１００であって、以下の工程を含む。
【００３３】
Ｓ１０１は、図２および図３を参照し、駆動トランジスタＴ０、第１コンデンサＣ１１、第２コンデンサＣ１２、および充電電圧部ｎを含む画素駆動回路を提供する。前記駆動トランジスタＴ０にゲート端子ｇ、ソース端子ｓ、およびドレイン端子ｄが設けられる。前記第１コンデンサＣ１１は、前記ゲート端子ｇおよび前記充電電圧部ｎに接続され、前記第２コンデンサＣ１２は、前記ゲート端子ｇおよび接地端子に接続される。
【００３４】
さらに、前記画素駆動回路は、初期電圧信号端子ＶＩＮＩ、データ電圧信号端子ＶＤＡＴＡ、および駆動電圧信号端子ＯＶＤＤをさらに含む。前記初期電圧信号端子ＶＩＮＩは、初期電圧信号線Ｖ１に接続されて、初期電圧Ｖｉｎｉを入力するために用いられる。前記データ電圧信号端子ＶＤＡＴＡは、データ電圧信号線Ｖ２に接続されて、データ電圧Ｖｄａｔａを入力するために用いられる。前記駆動電圧信号端子ＯＶＤＤは、駆動電圧信号線Ｖ３に接続されて、駆動電圧Ｖｄｄを入力するために用いられる。
【００３５】
さらに、提供する前記画素駆動回路は、第１スイッチＴ１、第２スイッチＴ２、第３スイッチＴ３、第４スイッチＴ４、第５スイッチＴ５、第６スイッチＴ６、発光ダイオードＬ、第１制御信号端子Ｓｃａｎ１、第２制御信号端子Ｓｃａｎ２、第３制御信号端子Ｓｃａｎ３、第４制御信号端子Ｓｃａｎ４、第５制御信号端子Ｓｃａｎ５、初期電圧信号端子ＶＩＮＩ、データ電圧信号端子ＶＤＡＴＡ、および駆動電圧信号端子ＯＶＤＤをさらに含む。前記ソース端子ｓは、前記第１スイッチＴ１および前記第２スイッチＴ２によってそれぞれ前記駆動電圧信号端子ＯＶＤＤおよび前記充電電圧部ｎに接続され、前記充電電圧部ｎは、前記第３スイッチＴ３によって前記データ電圧信号端子ＶＤＡＴＡに接続される。前記ゲート端子ｇは、前記第４スイッチＴ４によって前記初期電圧信号端子ＶＩＮＩに接続され、前記ゲート端子ｇと前記ドレイン端子ｄは、前記第５スイッチＴ５によって接続される。前記第６スイッチＴ６は、前記ドレイン端子ｄおよび前記発光ダイオードＬに接続される。前記第１制御信号端子Ｓｃａｎ１は、前記第１スイッチＴ１の制御端子および前記第６スイッチＴ６の制御端子に接続される。前記第２制御信号端子Ｓｃａｎ２は、前記第２スイッチＴ２の制御端子に接続される。前記第３制御信号端子Ｓｃａｎ３および前記第４制御信号端子Ｓｃａｎ４は、それぞれ前記第３スイッチＴ３の制御端子および前記第４スイッチＴ４の制御端子に接続される。前記第５制御信号端子Ｓｃａｎ５は、前記第５スイッチＴ５の制御端子に接続される。
【００３６】
Ｓ１０２は、図４〜図６を合わせて参照すれば、リセット段階ｔ１に入り込み、前記ゲート端子ｇに初期電圧Ｖｉｎｉを入力し、かつ前記充電電圧部ｎにデータ電圧Ｖｄａｔａを入力して、前記充電電圧部ｎの電位と前記ゲート端子ｇの電位をリセットさせる。
【００３７】
一実施形態において、前記第３制御信号端子Ｓｃａｎ３および前記第４制御信号端子Ｓｃａｎ４にローレベル信号を入力し、かつ前記第１制御信号端子Ｓｃａｎ１、前記第２制御信号端子Ｓｃａｎ２、および前記第５制御信号端子Ｓｃａｎ５にハイレベル信号を入力するように設けられ、前記第３スイッチＴ３および前記第４スイッチＴ４をオンにし、かつ前記第１スイッチＴ１、前記第２スイッチＴ２、前記第５スイッチＴ５、前記第６スイッチＴ６をオフにする。前記第３スイッチＴ３によって前記充電電圧部ｎに前記データ電圧Ｖｄａｔａを入力し、前記第４スイッチＴ４によって前記ゲート端子ｇに前記初期電圧Ｖｉｎｉを入力する。
【００３８】
Ｓ１０３は、図４、図５、および図７を合わせて参照すれば、保持段階ｔ２に入り込み、前記ソース端子ｓの電位と前記ゲート端子ｇの電位との差がＶｔｈ（前記駆動トランジスタの閾値電圧である）になるまで、前記ゲート端子ｇに前記データ電圧Ｖｄａｔａを充電し、かつ前記Ｖｔｈを前記第１コンデンサＣ１１内に保持し、前記ゲート端子ｇの電位を前記第２コンデンサＣ１２内に保持するように、前記充電電圧部ｎに前記データ電圧Ｖｄａｔａを入力し、前記充電電圧部ｎと前記ソース端子ｓをオンにし、かつ前記ゲート端子ｇと前記ドレイン端子ｄをオンにする。
【００３９】
一実施形態において、前記第２制御信号端子Ｓｃａｎ２、前記第３制御信号端子Ｓｃａｎ３、および前記第５制御信号端子Ｓｃａｎ５にローレベル信号を入力し、かつ前記第４制御信号端子Ｓｃａｎ４および前記第１制御信号端子Ｓｃａｎ１にハイレベル信号を入力するように設けられ、前記第２スイッチＴ２、前記第３スイッチＴ３、および前記第５スイッチＴ５をオンにし、かつ前記第１スイッチＴ１、前記第４スイッチＴ４、および前記第６スイッチＴ６をオフにし、前記第２スイッチＴ２および前記第３スイッチＴ３によって前記ソース端子ｓに前記データ電圧Ｖｄａｔａを入力し、前記ゲート端子ｇの電位がＶｄａｔａ−Ｖｔｈになるまで、前記第３スイッチＴ３、前記第２スイッチＴ２、前記駆動トランジスタＴ０、および前記第５スイッチＴ５によって前記ゲート端子ｇに前記データ電圧Ｖｄａｔａを充電する。
【００４０】
Ｓ１０４は、図４、図５および図８を合わせて参照すれば、発光段階に入り込み、前記ソース端子ｓおよび前記充電電圧部ｎに駆動電圧Ｖｄｄを入力して、前記ゲート端子ｇの電位を変更し、前記駆動トランジスタＴ０の駆動電流Ｉを安定させる。
【００４１】
さらに、提供する前記画素駆動回路は、負極電圧信号端子ＯＶＳＳをさらに含み、前記発光ダイオードＬは、正極端子および負極端子を有し、前記第６スイッチＴ６は、前記ドレイン端子ｄと前記正極端子との間に接続され、前記負極端子は、前記負極電圧信号端子ＯＶＳＳに接続される。
【００４２】
一実施形態において、前記第３制御信号端子Ｓｃａｎ３、前記第５制御信号端子Ｓｃａｎ５、および前記第４制御信号端子Ｓｃａｎ４にハイレベル信号を入力し、かつ前記第１制御信号端子Ｓｃａｎ１および前記第２制御信号端子Ｓｃａｎ２にローレベル信号を入力するように設けられ、前記第３スイッチＴ３、前記第１スイッチＴ１、および前記第６スイッチＴ６をオンにし、かつ前記第２スイッチＴ２、前記第５スイッチＴ５、および前記第４スイッチＴ４をオフにする。前記駆動電流Ｉで前記発光ダイオードＬの発光が駆動されるように、前記第１スイッチＴ１、前記駆動トランジスタＴ０、および前記第６スイッチＴ６をオンにし、前記駆動電圧信号端子ＯＶＤＤと前記負極電圧信号端子ＯＶＳＳをオンにする。前記第１スイッチＴ１によって前記ソース端子ｓに前記駆動電圧Ｖｄｄを入力し、前記第１スイッチＴ１、前記第３スイッチＴ３によって前記充電電圧部ｎに前記駆動電圧Ｖｄｄを充電して、前記ゲート端子ｇの電位を変更する。電荷共有原理から分かるように、前記ゲート端子ｇの電位がＶｄａｔａ−Ｖｔｈ＋δＶである。前記ソース端子ｓの電位と前記ゲート端子ｇの電位との差がＶｄｄ−Ｖｄａｔａ＋Ｖｔｈ−δＶであり、前記δＶ＝（Ｖｄｄ−Ｖｄａｔａ）×Ｃ１／（Ｃ１＋Ｃ２）であり、前記Ｃ１は前記第１コンデンサＣ１１の容量値であり、前記Ｃ２は前記第２コンデンサＣ１２の容量値である。トランジスタＩ−Ｖ曲線の方程式Ｉ＝ｋ（Ｖｓｇ−Ｖｔｈ）２に基づき、前記Ｖｓｇは前記ソース端子ｓの電位と前記ゲート端子ｇの電位との差であり、計算により、Ｉ＝ｋ［（Ｖｄｄ−Ｖｄａｔａ）×Ｃ２／（Ｃ１＋Ｃ２）］２が得られ、ｋは駆動トランジスタＴ０の真性導電率であって、駆動トランジスタＴ０の自身特性によって決められる。以上から分かるように、駆動電流Ｉは駆動トランジスタＴ０の閾値電圧Ｖｔｈと無関係であり、かつこの駆動電流Ｉは前記発光ダイオードＬを流れる電流である。そのため、本出願の実施例が提供する画素駆動方法によって駆動される画素駆動回路は、閾値電圧Ｖｔｈの発光ダイオードＬに対する影響を解消し、パネルの表示均一性を向上させ、発光効率を高めることができる。
【００４３】
上記のように、本出願は好適な実施例で記載されているが、この好適な実施例は本出願を制限するものではなく、本出願の精神と範囲を遺脱しない限り、当業者はいずれも様々な変更と修正を行うことができ、そのため、本出願の保護範囲は特許請求の範囲を基準とする。
【図１】
0006942816.tif 000002
【図２】
0006942816.tif 000003
【図３】
0006942816.tif 000004
【図４】
0006942816.tif 000005
【図５】
0006942816.tif 000006
【図６】
0006942816.tif 000007
【図７】
0006942816.tif 000008
【図８】
0006942816.tif 000009